(57)【要約】開示されるのは、受信機において受信される信号に影響する、デバイスによって送信されるジャマー信号に対処するための方法、システムおよびデバイスである。特定の実施形態では、アプリケーションコンテンツ信号は、シンボルコンテンツを提供すべくワイヤレス送信媒体中での送信に関して符号化され、ここで、シンボルコンテンツは、アプリケーションコンテンツ信号を表す少なくともいくつかのシンボルを備える。受信機は、選択的にブランキングされ、シンボルコンテンツの少なくとも一部分と同期されうる。【選択図】図４
2019500605.tif 000002
【特許請求の範囲】
【請求項１】
モバイルデバイスにおける方法であって、
ワイヤレス通信リンク中でアップリンク信号を送信することと、および
前記送信されたアップリンク信号中のコンテンツの一部分と同期された衛星測位システム（ＳＰＳ）受信機を選択的にブランキングすることと
を備える、方法。
【請求項２】
前記送信されたアップリンク信号中のコンテンツの前記一部分は、復調基準信号（ＤＭＲＳ）シンボルまたはサウンディング基準信号（ＳＲＳ）シンボルを備える、請求項１に記載の方法。
【請求項３】
前記ＳＰＳ受信機を選択的にブランキングすることは、前記ＳＰＳ受信機の端子にブランキング信号を印加することをさらに備える、請求項１に記載の方法。
【請求項４】
コンテンツの前記一部分は、周期的に送信されたシンボルを備える、請求項１に記載の方法。
【請求項５】
前記送信されたアップリンク信号中の前記コンテンツは、アプリケーションコンテンツおよびチャネル固有シンボルを備える、請求項１に記載の方法。
【請求項６】
前記送信されたアップリンク信号中のコンテンツの前記一部分と同期された前記ＳＰＳ受信機を選択的にブランキングすることは、前記ＳＰＳ受信機の端子に電圧を印加することを備える、請求項１に記載の方法。
【請求項７】
前記電圧は、無線周波数回路によってコンテンツの前記一部分の送信の前のリードタイムにおいて印加される、請求項６に記載の方法。
【請求項８】
前記アップリンク信号は、周波数分割複信（ＦＤＤ）ワイヤレス通信リンク中で送信される、請求項１に記載の方法。
【請求項９】
前記アップリンク信号は、ワイヤレスローカルエリアネットワークまたはワイヤレスパーソナルエリア通信リンク、あるいはそれらの組み合わせ中で送信される、請求項１に記載の方法。
【請求項１０】
選択的にブランキングすることは、前記アップリンク信号の特定のチャネルまたは周波数帯域に少なくとも部分的に基づいて選択的にブランキングすることを備える、請求項１に記載の方法。
【請求項１１】
前記ＳＰＳ受信機は、複数の異なるＧＮＳＳ帯域から送信されたＳＰＳ信号を処理することが可能であり、および、ここにおいて、選択的にブランキングすることは、前記ＧＮＳＳ帯域のうちの少なくとも１つを選択的にブランキングしつつ、前記ＧＮＳＳ帯域のうちの少なくとも１つのもう一方をブランキングしないことを備える、請求項１に記載の方法。
【請求項１２】
モバイルデバイスであって、
衛星測位システム（ＳＰＳ）信号を捕捉するためのＳＰＳ受信機と、および
ワイヤレス通信リンク中のアップリンク信号中での送信に関するコンテンツを符号化することと、および
前記コンテンツの一部分と同期された前記ＳＰＳ受信機をブランキングするための信号を生成することと
を行うように構成されたモデムデバイスと
を備える、モバイルデバイス。
【請求項１３】
前記送信されたアップリンク信号中のコンテンツの前記一部分は、復調基準信号（ＤＭＲＳ）シンボルまたはサウンディング基準信号（ＳＲＳ）シンボルを備える、請求項１２に記載のモバイルデバイス。
【請求項１４】
前記モデムデバイスは、前記ＳＰＳ受信機の端子にブランキング信号を印加することによって、前記ＳＰＳ受信機を選択的にブランキングするようにさらに構成される、請求項１２に記載のモバイルデバイス。
【請求項１５】
コンテンツの前記一部分は、周期的に送信されたシンボルを備える、請求項１２に記載のモバイルデバイス。
【請求項１６】
前記送信されたアップリンク信号中の前記コンテンツは、アプリケーションコンテンツおよびチャネル固有シンボルを備える、請求項１２に記載のモバイルデバイス。
【請求項１７】
前記送信されたアップリンク信号中のコンテンツの前記一部分と同期された前記ＳＰＳ受信機を選択的にブランキングすることは、前記ＳＰＳ受信機の端子に電圧を印加することを備える、請求項１２に記載のモバイルデバイス。
【請求項１８】
前記電圧は、無線周波数回路によってコンテンツの前記一部分の送信の前のリードタイムにおいて印加される、請求項１７に記載のモバイルデバイス。
【請求項１９】
前記アップリンク信号は、周波数分割複信（ＦＤＤ）ワイヤレス通信リンク中で送信される、請求項１２に記載のモバイルデバイス。
【請求項２０】
前記アップリンク信号は、ワイヤレスローカルエリアネットワークまたはワイヤレスパーソナルエリア通信リンク、あるいはそれらの組み合わせ中で送信される、請求項１２に記載のモバイルデバイス。
【請求項２１】
前記モバイルデバイスは、前記アップリンク信号の特定のチャネルまたは周波数帯域に少なくとも部分的に基づいて選択的にブランキングするように構成される、請求項１２に記載のモバイルデバイス。
【請求項２２】
前記ＳＰＳ受信機は、複数の異なる全地球航法衛星システム（ＧＮＳＳ）帯域から送信されたＳＰＳ信号を処理することが可能であり、および、ここにおいて、前記モデムデバイスは、前記ＧＮＳＳ帯域のうちの少なくとも１つを選択的にブランキングしつつ、前記ＧＮＳＳ帯域のうちの少なくとも１つのもう一方をブランキングしないようにさらに構成される、請求項１２に記載のモバイルデバイス。
【請求項２３】
モバイルデバイスであって、
ワイヤレス通信リンク中でアップリンク信号を送信するための手段と、および
前記送信されたアップリンク信号中のコンテンツの一部分と同期された衛星測位システム（ＳＰＳ）受信機を選択的にブランキングするための手段と
を備える、モバイルデバイス。
【請求項２４】
前記ＳＰＳ受信機を前記選択的にブランキングするための手段は、前記ＳＰＳ受信機の端子にブランキング信号を印加するための手段をさらに備える、請求項２３に記載のモバイルデバイス。
【請求項２５】
前記送信されたアップリンク信号中のコンテンツの前記一部分と同期された前記ＳＰＳ受信機を前記選択的にブランキングするための手段は、前記ＳＰＳ受信機の端子に電圧を印加するための手段を備える、請求項２３に記載のモバイルデバイス。
【請求項２６】
前記選択的にブランキングするための手段は、前記アップリンク信号の特定のチャネルまたは周波数帯域に少なくとも部分的に基づいて選択的にブランキングするための手段を備える、請求項２３に記載のモバイルデバイス。
【請求項２７】
記憶媒体であって、
ワイヤレス通信リンク中のアップリンク信号中での送信に関してコンテンツを符号化することと、および
前記コンテンツの一部分と同期されたＳＰＳ受信機をブランキングするための信号を生成することと
を行うようにモバイルデバイスの１つまたは複数のプロセッサによって実行可能である記憶されたコンピュータ可読命令を備える、記憶媒体。
【請求項２８】
前記送信されたアップリンク信号中のコンテンツの前記一部分は、復調基準信号（ＤＭＲＳ）シンボルまたはサウンディング基準信号（ＳＲＳ）シンボルを備える、請求項２７に記載の記憶媒体。
【請求項２９】
前記送信されたアップリンク信号中の前記コンテンツは、アプリケーションコンテンツおよびチャネル固有シンボルを備える、請求項２７に記載の記憶媒体。
【請求項３０】
前記アップリンク信号は、周波数分割複信（ＦＤＤ）ワイヤレス通信リンク中で送信される、請求項２７に記載の記憶媒体。
【発明の詳細な説明】
【関連出願の相互参照】
【０００１】
このＰＣＴ出願は、２０１５年１２月１８日に出願された「Methods And Systems For Processing A Global Navigation Satellite System Signal」と題された米国仮特許出願第６２／２６９，７５３号と、２０１６年１２月７日に出願された「Methods And Systems For Processing A Global Navigation Satellite System Signal」と題された米国非仮特許出願第１５／３７１，６０２号の利益および優先権を主張し、それらは、その全体が、参照によってここに組み込まれる。
【技術分野】
【０００２】
[0001]ここに記述される実施形態は、モバイル送信機から捕捉された信号の測定値を取得することを対象としている。
【背景技術】
【０００３】
[0002]全地球測位システム（ＧＰＳ）のような衛星測位システム（ＳＰＳ）は、屋外環境中でのモバイルハンドセットに関する航法サービスを可能にしてきた。モバイルハンドセットは、位置フィックス（a position fix）を取得するためにＳＰＳによって送信された信号を捕捉することが可能である航法受信機を有しうる。残念ながら、ある特定のシナリオでは、航法受信機における（例えば、ローカルジャミング信号からの）雑音および干渉は、誤った位置推定値につながる誤検出をもたらしうる。
【発明の概要】
【０００４】
[0003]簡潔に言うと、１つの特定のインプリメンテーション(implementation)は、ワイヤレス通信リンク中でアップリンク信号を送信することと、および送信されたアップリンク信号中のコンテンツの一部分（a portion of）と同期された衛星測位システム（ＳＰＳ）受信機を選択的にブランキングすること(blanking)とを備える、モバイルデバイスにおける方法を対象としている。
【０００５】
[0004]別の特定のインプリメンテーションは、衛星測位システム（ＳＰＳ）信号を捕捉するためのＳＰＳ受信機と、およびワイヤレス通信リンク中のアップリンク信号中での送信に関してコンテンツを符号化することと、およびコンテンツの一部分と同期されたＳＰＳ受信機をブランキングするための信号を生成することとを行うためのモデムデバイスとを備えるモバイルデバイスを対象としている。
【０００６】
[0005]別の特定のインプリメンテーションは、ワイヤレス通信リンク中でアップリンク信号を送信するための手段と、および送信されたアップリンク信号中のコンテンツの一部分と同期された衛星測位システム（ＳＰＳ）受信機を選択的にブランキングするための手段とを備えるモバイルデバイスを対象としている。
【０００７】
[0006]別の特定のインプリメンテーションは、周波数分割複信（ＦＤＤ）ワイヤレス通信リンク中のアップリンク信号中での送信に関してコンテンツを符号化することと、およびコンテンツの一部分と同期されたＳＰＳ受信機をブランキングするための信号を生成することとを行うようにモバイルデバイスの１つまたは複数のプロセッサによって実行可能である記憶されたコンピュータ可読命令を備える記憶媒体を対象としている。
【０００８】
[0007]別の特定のインプリメンテーションでは、通信デバイスにおける方法は、シンボルコンテンツを提供すべくワイヤレス送信媒体中での送信に関してアプリケーションコンテンツ信号を符号化することと、シンボルコンテンツは、アプリケーションコンテンツ信号の一部分（portions of）を表すための第１のシンボルを備え、ワイヤレス送信媒体中での送信に関してシンボルコンテンツを無線周波数信号にアップコンバートすることと、およびシンボルコンテンツの少なくとも一部分と同期された受信機を選択的にブランキングすることとを備える。特定のインプリメンテーションでは、シンボルコンテンツはさらに、ワイヤレス送信媒体中の通信チャネルを制御するために第１のシンボルとインターリーブされた(interleaved)第２のシンボルを備える。別の特定のインプリメンテーションでは、受信機を選択的にブランキングすることはさらに、第２のシンボルの少なくとも一部分と同期されたブランキング信号を生成することを備える。別の特定のインプリメンテーションでは、第２のシンボルは、ＤＭＲＳまたはＳＲＳシンボルを備える。別の特定のインプリメンテーションでは、シンボルコンテンツは、ＦＤＤワイヤレス通信リンク中での送信に関してアップコンバートされる。別の特定のインプリメンテーションでは、シンボルコンテンツは、ＷＬＡＮ通信リンクまたはＷＰＡＮ通信リンク、あるいはそれらの組み合わせ中での送信に関してアップコンバートされる。
【０００９】
[0008]別の特定のインプリメンテーションでは、通信デバイスは、無線周波数信号を受信するための受信機と、シンボルコンテンツを提供すべくワイヤレス送信媒体中での送信に関してアプリケーションコンテンツ信号を符号化することと、シンボルコンテンツは、アプリケーションコンテンツ信号の一部分を表すための第１のシンボルを備え、およびシンボルコンテンツの少なくとも一部分と同期された受信機を選択的にブランキングするための信号を生成することとを行うためのモデムデバイスとを備える。
【００１０】
[0009]別の特定のインプリメンテーションでは、記憶媒体は、シンボルコンテンツを提供すべくワイヤレス送信媒体中での送信に関してアプリケーションコンテンツ信号を符号化することと、シンボルコンテンツは、アプリケーションコンテンツ信号の一部分を表すための第１のシンボルを備え、およびシンボルコンテンツの少なくとも一部分と同期された受信機を選択的にブランキングするための信号を生成することとを行うように通信デバイスのプロセッサによって実行可能である記憶されたコンピュータ可読命令を備える。
【００１１】
[00010]別の実施形態では、上述されたように、通信デバイスは、シンボルコンテンツを提供すべくワイヤレス送信媒体中での送信に関してアプリケーションコンテンツ信号を符号化するための手段と、シンボルコンテンツは、アプリケーションコンテンツ信号の一部分を表すための第１のシンボルを備え、ワイヤレス送信媒体中での送信に関してシンボルコンテンツを無線周波数信号にアップコンバートするための手段と、およびシンボルコンテンツの少なくとも一部分と同期された受信機を選択的にブランキングするための手段とを備える。
【００１２】
[00011]前述されたインプリメンテーションは、単に実例的なインプリメンテーションに過ぎず、および特許請求される主題は、これらの実例的なインプリメンテーションのいずれかの特定の態様に必ずしも限定されないことが理解されるべきである。
【００１３】
[00012]特許請求される主題は、本明細書の結びの部分中ではっきりと特許請求され、および特に指摘される。しかしながら、それらの目的、特徴、および／または利点とともに、動作の方法および／または構成の両方に関しては、添付の図面とともに読まれた場合に以下の詳細な説明を参照することによって最も理解されうる。
【図面の簡単な説明】
【００１４】
【図１】あるインプリメンテーションにしたがった、モバイルデバイスを包含するシステムのある特定の特徴を例示するシステム図である。
【図２】特定の実施形態にしたがった、アップリンク信号の一部分の特徴を例示している。
【図３】特定の実施形態にしたがった、アップリンク信号の一部分の特徴を例示している。
【図４】ある実施形態にしたがった、ブランキング信号に関してのタイミング図である。
【図５】特定の実施形態にしたがった、ブランキングを使用するＧＮＳＳ受信機において受信される信号のスペクトルにおける変化を例示している。
【図６】あるインプリメンテーションにしたがった、例証的なデバイスを例示する概略ブロック図である。
【図７Ａ】ある実施形態にしたがった、プロセスのフロー図である。
【図７Ｂ】ある実施形態にしたがった、プロセスのフロー図である。
【図８】あるインプリメンテーションにしたがった、実例的なコンピューティングシステムの概略ブロック図である。
【００１５】
[00020]言及は、以下の詳細な説明中で添付の図面に対してなされ、それは、本願の一部を形成し、ここにおいて、同様の数字は、全体を通じて、対応するおよび／または類似する同様の部分を指し示しうる。例えば、例示の明確さおよび／または簡潔さに関して、図は必ずしも原寸通りに描かれていないことが認識されるであろう。例えば、いくつかの態様の寸法は、他のものに対して誇張されうる。さらに、他の実施形態が利用されうることが理解されるべきである。さらに、構造的および／または他の変更は、特許請求される主題から逸脱することなしになされうる。「特許請求される主題」に対するこの明細書全体を通じた言及は、１つまたは複数の請求項、またはそれらのいずれかの一部分によってカバーされることを意図された主題に言及しており、および完全な請求項のセット、請求項のセットの特定の組み合わせ（例えば、方法の請求項、装置の請求項、等）、または特定の請求項に言及することを必ずしも意図されていない。例えば、上、下、上部、下部、等のような基準および／または方向が、図面の論述を容易にするために使用されえ、および特許請求される主題のアプリケーションを制限することを意図されていないことにもまた留意されたい。したがって、以下の詳細な説明は、特許請求される主題および／または同等物を限定するように受け取られるべきではない。
【詳細な説明】
【００１６】
[00021]１つのインプリメンテーション、あるインプリメンテーション、一実施形態、ある実施形態、および／または同様のものに対するこの明細書全体を通じた言及は、特定のインプリメンテーションおよび／または実施形態に関連して記述される特定の特徴、構造、特性、および／または同様のものが特許請求される主題の少なくとも１つのインプリメンテーションおよび／または実施形態中に含まれることを意味する。このことから、例えば、この明細書全体を通じた様々な場所におけるそのようなフレーズの出現は、同じインプリメンテーションおよび／または実施形態、あるいはいずれか１つの特定のインプリメンテーションおよび／または実施形態に言及することを必ずしも意図されていない。さらに、記述される特定の特徴、構造、特性、および／または同様のものは、１つまたは複数のインプリメンテーションおよび／または実施形態において様々な方法で組み合わされることが可能であり、およびしたがって、意図される特許請求の範囲内にあることが理解されるべきである。一般には、当然ながら、特許出願の明細書に関して常に事実であったように、これらおよび他の問題は、使用の特定のコンテキストにおいて異なる可能性がある。言い換えれば、本特許出願全体を通じて、使用および／または記述の特定のコンテキストは、引き出される合理的な推論に関する役に立つ指針を提供するが、しかしながら、同様に、さらなる条件を有さない（without further qualification）一般の「このコンテキストでは」は、本特許出願のコンテキストに言及する。
【００１７】
[00022]ワイヤレス通信システムは、第１世代のアナログワイヤレス電話サービス（１Ｇ）と、第２世代（２Ｇ）のデジタルワイヤレス電話サービス（中間の２．５Ｇネットワークを含む）と、および第３世代（３Ｇ）および第４世代（４Ｇ）の高速データ／インターネット対応ワイヤレスサービスとを含む様々な世代を通じて発展してきた。
【００１８】
[00023]より最近には、ロングタームエボリューション（ＬＴＥ（登録商標））は、モバイル電話および他のモバイル端末に関するパケット化された音声および高速データのワイヤレス通信に関する無線アクセスネットワーク技術として第３世代パートナーシッププロジェクト（３ＧＰＰ（登録商標））によって開発された。ＬＴＥは、モバイル通信に関するグローバルシステム（ＧＳＭ（登録商標）：Global System for Mobile Communications）システムから、およびＧＳＭエボリューションに関する拡張データレート（ＥＤＧＥ：Enhanced Data rates for GSM（登録商標） Evolution）と、ユニバーサルモバイル電気通信システム（ＵＭＴＳ：Universal Mobile Telecommunications System）と、および高速パケットアクセス（ＨＳＰＡ：High-Speed Packet Access）とのようなＧＳＭの派生物から進化した。
【００１９】
[00024]アップリンクキャリアアグリゲーション（ＵＬＣＡ）は、ＬＴＥ使用可能モバイルデバイスに関するアップロード速度を改善するための１つの特定の技法であり、それは、変調の複雑さおよびスループットを１６ＱＡＭから６４ＱＡＭに増大させることを含みうる。しかしながら、これらの改善されたアップリンク帯域幅の数字（figures）は、貧弱なカバレッジエリア中では確実に達成されないことがありうる。ＬＴＥ使用可能モバイルデバイスの特定のインプリメンテーションでは、ワイヤレス通信リンク中で基地局と通信するための周波数分割複信（ＦＤＤ）の使用は、より良いカバレッジを可能にしうる。
【００２０】
[00025]ＬＴＥ使用可能モバイルデバイスは、全地球航法衛星システム（ＧＮＳＳ）中の宇宙ビークル（ＳＶ）によって送信された信号を捕捉することが可能である受信機のような航法受信機を含みうる。残念ながら、ＦＤＤリンク中でのＬＴＥ使用可能モバイルデバイスによるアップリンク信号の送信は、モバイルデバイスのＧＮＳＳ受信機に対してマルチトーンジャマー効果（a multi-tone jammer effect）をもたらしうる。特に、ＦＤＤワイヤレス通信リンクのアップリンク部分中でのある特定のコンテンツの送信は、ＧＮＳＳ受信機の受信帯域に干渉するスペクトルコンポーネントをもたらしえ、ＧＮＳＳ受信機において誤検出を生じさせる。例えば、アップリンク中の復調基準信号（ＤＭＲＳ）シンボルまたはサウンディング基準信号（ＳＲＳ）シンボルのようなある特定のコンテンツの送信は、ＧＮＳＳ受信機にマルチトーンジャマー効果を与え（impart）うる。以下に例示されるように、そのようなマルチトーンジャマー効果は、周波数において均一に間隔を空けられたトーンを与えうる。
【００２１】
[00026]ある実施形態にしたがって、モバイルデバイス上のＧＮＳＳ受信機は、モバイルデバイスによって送信されるアップリンク信号中のコンテンツの一部分と同期して選択的にブランキングされうる。アップリンク信号中の特定のコンテンツの送信の間にＧＮＳＳ受信機を選択的にブランキングすることは、アップリンク信号中のある特定のコンテンツ（例えば、ＳＲＳシンボルまたはＤＭＲＳシンボル）の送信からジャミング効果を低減または除去しながら、アップリンク信号の送信と同時にＧＮＳＳ受信機の使用を可能にしうる。
【００２２】
[00027]図１は、あるインプリメンテーションにしたがった、モバイルデバイス（ＭＤ）１００を包含するシステムのある特定の特徴を例示するシステム図である。ＭＤ１００は、衛星測位システム（ＳＰＳ）衛星１６０からＳＰＳ信号１５９を受信または捕捉しうる。いくつかのインプリメンテーションでは、送信機を備えるＳＰＳ衛星１６０は、ＧＰＳまたはＧａｌｉｌｅｏ衛星システムのような１つの全地球航法衛星システム（ＧＮＳＳ）からのものでありうる。他のインプリメンテーションでは、ＳＰＳ衛星は、ＧＰＳ、Ｇａｌｉｌｅｏ、Ｇｌｏｎａｓｓ、または北斗（Ｃｏｍｐａｓｓ）衛星システムに限定されないが、それらのようなマルチプルのＧＮＳＳからのものでありうる。他のインプリメンテーションでは、ＳＰＳ衛星は、ほんの数例を挙げると、例えば、ＷＡＡＳ、ＥＧＮＯＳ、ＱＺＳＳのような、いずれか１つのいくつかの領域航法衛星システム（ＲＮＳＳ’）からのものでありうる。
【００２３】
[00028]加えて、ＭＤ１００は、ワイヤレス通信ネットワークに無線信号を送信および／またはワイヤレス通信ネットワークから無線信号を受信しうる。一例では、ＭＤ１００は、ワイヤレス通信リンク１２３を通して、基地局トランシーバ１１０にワイヤレス信号を送信しうるか、または基地局トランシーバ１１０からワイヤレス信号を受信することによって、セルラ通信ネットワークと通信しうる。同様に、ＭＤ１００は、ワイヤレス通信リンク１２５を通して、ローカルトランシーバ１１５にワイヤレス信号を送信しうるか、またはローカルトランシーバ１１５からワイヤレス信号を受信しうる。
【００２４】
[00029]特定のインプリメンテーションでは、ローカルトランシーバ１１５は、ワイヤレス通信リンク１２３を通して基地局トランシーバ１１０によって可能にされる範囲でよりも、ワイヤレス通信リンク１２３を通してより短い範囲でＭＤ１００と通信するように構成されうる。例えば、ローカルトランシーバ１１５は、屋内環境中に位置付けられうる。ローカルトランシーバ１１５は、ワイヤレスローカルエリアネットワーク（ＷＬＡＮ、例えば、ＩＥＥＥ規格８０２．１１ネットワーク）またはワイヤレスパーソナルエリアネットワーク（ＷＰＡＮ、例えば、Ｂｌｕｅｔｏｏｔｈ（登録商標）ネットワーク）へのアクセスを提供しうる。別の実例的なインプリメンテーションでは、ローカルトランシーバ１１５は、セルラ通信プロトコルにしたがってリンク１２５上での通信を容易にすることが可能であるフェムトセルトランシーバを備えうる。当然ながら、これらは単にワイヤレスリンクを通してＭＤと通信しうるネットワークの例に過ぎず、および／または、特許請求される主題はこの点において限定されないことが理解されるべきである。
【００２５】
[00030]特定のインプリメンテーションでは、基地局トランシーバ１１０および／またはローカルトランシーバ１１５は、リンク１４５を通じてネットワーク１３０上でサーバ１４０、１５０、および／または１５５と通信しうる。ここで、ネットワーク１３０は、ワイヤードリンクまたはワイヤレスリンクのいずれかの組み合わせを備えうる。特定のインプリメンテーションでは、ネットワーク１３０は、ローカルトランシーバ１１５または基地局トランシーバ１１０を通じたＭＤ１００とサーバ１４０、１５０または１５５との間での通信を容易にすることが可能であるインターネットプロトコル（ＩＰ）インフラストラクチャを備えうる。別のインプリメンテーションでは、ネットワーク１３０は、ＭＤ１００とのモバイルセルラ通信を容易にするために、例えば、基地局コントローラまたはマスタ交換局センタのようなセルラ通信ネットワークインフラストラクチャを備えうる。
【００２６】
[00031]特定のインプリメンテーションでは、および／または以下に論述されるように、ＭＤ１００は、ＭＤ１００の推定されたロケーションまたは位置フィックスを計算することが可能である処理リソースおよび／または回路を有しうる。例えば、ＭＤ１００は、４つ以上のＳＰＳ衛星１６０までの疑似範囲測定値に少なくとも部分的に基づいて位置フィックスを計算しうる。ここで、ＭＤ１００は、４つ以上のＳＰＳ衛星１６０から捕捉された信号１５９中での疑似雑音コード位相検出に少なくとも部分的に基づいて、そのような疑似範囲測定値を計算しうる。特定のインプリメンテーションでは、ＭＤ１００は、ほんの数例を挙げると、例えば、アルマナック、エフェメリスデータ、ドプラサーチウィンドウを含む、ＳＰＳ衛星１６０によって送信された信号１５９の捕捉を援助するための測位支援データをサーバ１４０、１５０または１５５から受信しうる。
【００２７】
[00032]上述されたように、特定の実施形態では、ＭＤ１００は、ＬＴＥ使用可能ＦＤＤワイヤレス通信リンクを通して基地局トランシーバ１１０と通信しうる。そのため、ワイヤレス通信リンク１２３のアップリンク部分は、測位動作を実施するためにＳＰＳ信号１５９を捕捉することを試みながら、ＭＤ１００においてＳＰＳ受信機にマルチトーンジャマー信号を与えうる。特定のインプリメンテーションでは、ＭＤ１００は、マルチトーンジャマーの効果を回避または改善するために、ワイヤレス通信リンク１２３のアップリンク部分上で送信されるコンテンツと同期してＳＰＳ受信機をブランキングしうる。
【００２８】
[00033]図２は、ある実施形態にしたがった、ＦＤＤワイヤレス通信リンクのアップリンク信号中で送信される特定のコンテンツを例示している。ここで、信号の送信は、その間に一連のディスクリート(discrete)シンボルが送信されうる「スロット」へとテンポラルに(temporally)区分される。スロット０および１の第４のシンボル期間では、復調基準信号（ＤＭＲＳ）パイロットシンボルは送信され、および物理アップリンク共有チャネル（ＰＵＳＣＨ）シンボルは、スロット０および１の第１〜第３、および第５〜第７のシンボル中で送信される。図３は、ＤＭＲＳパイロットシンボル（ＰＵＳＣＨ ＲＳとして図示）がスロット０および１の第４のシンボル期間中に同様に送信される別のシナリオ中において送信される特定のコンテンツを例示している。示されているように、追加のコンテンツは、最初の２つおよび最後の２つのサブキャリア帯域中で送信されうる。ある実施形態にしたがって上述されたように、図２および３のＦＤＤアップリンクのスロット０および１中の、送信機によって送信されるＤＭＲＳシンボルは、（例えば、モバイル電話中の）送信機とコロケートされたＳＰＳ受信機においてマルチトーンジャマー信号を与えうる。１つの実例的なシナリオでは、マルチトーンジャマーは、例えば、１．０ｋＨｚのような特定の高調波周波数の整数倍の間隔で繰り返される特定の周波数において単一のトーンを備えうる。しかしながら、１．０ｋＨｚは単にマルチトーンジャマー信号中のトーンの特定の高調波間隔の例に過ぎず、および特許請求される主題はこの点において限定されないことが理解されるべきである。上述されたように、ＳＰＳ受信機は、ＳＰＳ受信機における誤検出につながるジャミング信号のスペクトル干渉を低減または除去するために、ＤＭＲＳシンボルの送信の間にブランキングされうる。
【００２９】
[00034]特定のインプリメンテーションでは、ＦＤＤアップリンク信号を送信するモバイルデバイスは、アップリンク信号上で送信し、およびダウンリンク信号を処理するためのトランシーバデバイスおよび／またはモデムデバイスを有しうる。ある実施形態にしたがって、トランシーバデバイスおよび／またはモデムデバイスは、ＦＤＤアップリンクの送信の一部分の間にＳＰＳ受信機をブランキングすることを制御するために、コロケートされたＳＰＳ受信機の端子に印加されることになるブランキング信号を生成しうる。例えば、ブランキング信号は、前述されたマルチトーンジャミング効果をもたらしうるＦＤＤアップリンク上での特定のコンテンツの送信と同期されうる。図４中に示されているように、特定のインプリメンテーションでは、トランシーバデバイスおよび／またはモデムデバイスは、ＤＭＲＳシンボルおよび／またはＳＲＳシンボルのような特定のコンテンツのＦＤＤアップリンク中での送信と同期されたブランキング信号を生成しうる。ブランキング信号は、マルチトーンジャミングをもたらすコンテンツの送信の間に信号の受信をブランキングするために、ＳＰＳ受信機デバイスの端子に印加されうる。
【００３０】
[00035]ある実施形態にしたがって、（例えば、図４中に例示されているような）ＧＮＳＳ受信機の帯域依存のブランキングは、非ＵＬＣＡのケースとＵＬＣＡのケースとに関して別個に、個々のＦＤＤ−ＬＴＥ帯域に関して有効／無効にされるように構成されうる。例えば、ＬＴＥ Ｂ２非ＵＬＣＡのケースの場合、ＬＴＥ Ｂ２は、Ｂ２ ＬＴＥ帯域が単独でＧＮＳＳ受信機に干渉またはジャミングしないことがありうることから、非ブランキングであるように構成されうる。Ｂ２／Ｂ４ ＵＬＣＡのケースでは、ＬＴＥ Ｂ２は、Ｂ４ ＬＴＥ帯域がＧＮＳＳ受信機に干渉またはジャミングしうることから、ブランキングであるように構成されることができる。そして、Ｂ２／Ｂ１３ ＵＬＣＡのケースでは、ＬＴＥ Ｂ２は、Ｂ１３バッド（a B13 bad）がＧＮＳＳ受信機に干渉またはジャミングしないことがありうることから、非ブランキングであるように構成されることができる。しかしながら、これらは単にＦＤＤアップリンク中の帯域がどのように別個にブランキングされうるかの例に過ぎず、および特許請求される主題はこの点において限定されないことが理解されるべきである。非ＵＬＣＡのケースとＵＬＣＡのケースとの両方において個々の帯域中でブランキングすることは、ルックアップテーブルにしたがって独立して制御されうる（例えば、Ｂ２の場合、非ＵＬＣＡ（単一のＴｘ）、Ｂ２／Ｂ４ ＵＬＣＡ、Ｂ２／Ｂ１３ ＵＬＣＡ、等に関して異なるルックアップテーブルの項目）。
【００３１】
[00036]ある実施形態にしたがって、ブランキングは、アップリンク信号中のマルチプルの帯域のうちの特定のＦＤＤ−ＬＴＥ帯域中で有効にされるように構成されうる。１つのインプリメンテーションでは、モデムソフトウェアまたはファームウェアは、ＬＴＥ送信アンテナからのＤＭＲＳまたはＳＲＳシンボルの送信が始まる(is to begin)前の特定のリードタイム（例えば、２．０μ秒）でＧＮＳＳ受信機のブランキング端子に対する信号のアサーション(assertion)を制御しうる。別のインプリメンテーションでは、モデムソフトウェアまたはハードウェアは、ＤＭＲＳまたはＳＲＳシンボルの送信の２．０μ秒後に非ブランキングを示すために、ブランキング端子をアサートしうる。しかしながら、これらは単に特定のコンテンツシンボルに応答して受信機がどのようにブランキングされるように制御されうるかの例に過ぎず、および特許請求される主題はこの点において限定されないことが理解されるべきである。
【００３２】
[00037]図５は、ある特定のコンテンツ（例えば、ＳＲＳまたはＤＭＲＳシンボル）をブランキングすることなしにＦＤＤワイヤレス通信リンクのアップリンク部分を送信することから生じる、ＧＮＳＳ受信機におけるマルチトーンジャマー信号のスペクトルを例示している。ブランキングなしでは、１１９．５ｄＢを超えて伸びるエネルギーピーク５００は、ＳＰＳ受信機において誤検出をもたらしうる。ＦＤＤアップリンク中で送信された特定のコンテンツと同期するＳＰＳ受信機の選択的ブランキングは、エネルギーピーク５００を実質的に取り除きうる。
【００３３】
[00038]図６は、ある実施形態にしたがった、無線周波数（Ｒ／Ｆ）回路６１４を通じてワイヤレス送信媒体中でシンボルを送信し、および（例えば、同じハンドセット上で）Ｒ／Ｆ回路６１４に近接するＳＰＳ受信機６１２において信号を処理するためのシステムの概略ブロック図である。特定のインプリメンテーションでは、モデム６００は、無線周波数（Ｒ／Ｆ）回路６１４におけるアップリンク信号中での送信に関してアプリケーションコンテンツ６０２を処理しうる。モデム６００はまた、Ｒ／Ｆ回路６１４におけるコンテンツの送信からジャミングを改善すべく、ＧＮＳＳ受信機６１２において受信される信号の受信を選択的にブランキングするために、ＳＰＳ受信機６１２に制御信号６１０を供給しうる。モデム６００は、Ｒ／Ｆ回路６１４による送信および制御信号６１０の生成に関してアプリケーションコンテンツ６０２を処理するアクションまたは機能を実施するための（例えば、マイクロプロセッサまたはデジタルシグナルプロセッサ上での実行に関する）ファームウェアおよびハードウェア回路の組み合わせを備えうる。
【００３４】
[00039]ある実施形態にしたがって、アプリケーションコンテンツ６０２は、ほんの数例を提供すると、例えば、テキストメッセージ用のテキスト、サンプルのオーディオ／音声信号、デジタル画像（例えば、ビデオまたは静止画像）、インターネットプロトコルパケットのようなデジタルコンテンツを備えうる。アプリケーションコンテンツ６０２は、（例えば、１または０を表すビットとして）デジタル形式でメモリまたはバッファ中に記憶されうる。アプリケーションコンテンツ６０３がさらに特定の符号化されたフォーマット（例えば、ＡＳＣＩＩ符号化されたテキスト、ボコーダまたは他のオーディオ符号化されたシンボル、ＭＰＥＧまたはＪＰＥＧ符号化されたシンボル）で存在しうる一方で、モデム６００中のブロック６０３は、ワイヤレス送信媒体中での送信に関してアプリケーションコンテンツ６０を処理すべく、いくつかのアプリケーションコンテンツ符号化を提供しうる。他の実施形態では、ブロック６０３において実施されるとして記述されている１つまたは複数のアクションは、特許請求される主題から逸脱することなしにアプリケーションプロセッサ中で実施されうる。
【００３５】
[00040]ブロック６０４はさらに、ＬＴＥ ＦＤＤアップリンクチャネルのようなワイヤレス送信媒体中での送信に関して、符号化されたアプリケーションコンテンツを準備しうる。例えば、図２および３中に例示されているように、ブロック６０４は、（例えば、ＰＵＳＣＨシンボルとして）ディスクリート送信スロットにアプリケーションコンテンツを包含する符号化されたシンボルの送信を割り振り、例えば、ＤＭＲＳおよびＳＲＳシンボルを含む追加のチャネル固有シンボルをインターリーブしうる。しかしながら、これは単にワイヤレス通信チャネル中での送信に関してアプリケーションコンテンツがどのようにさらに処理されうるかの例に過ぎず、および特許請求される主題はこの点において限定されないことが理解されるべきである。
【００３６】
[00041]ブロック６０４によって生成される符号化されたコンテンツはさらに、例えば、Ｒ／Ｆ回路６１４におけるアップコンバージョンに関してシンボルコンテンツをさらに符号化することによって、ブロック６０６においてベースバンド処理されうる。例えば、ブロック６０６はさらに、ベースバンド信号を生成すべく、ＱＰＳＫ、ＣＤＭＡまたはＱＡＭ処理に関してシンボルコンテンツを符号化しうる。Ｒ／Ｆ回路６１４はその後、例えば、デジタル−アナログ変換、変調、ＲＦアップコンバージョンおよび電力増幅を実施すべく、迂遠を使用してワイヤレス通信媒体中での送信に関してベースバンド信号をＲ／Ｆ信号にアップコンバートしうる（例えば、ＬＴＥ ＦＤＤアップリンク中の信号）。
【００３７】
[00042]ある実施形態にしたがって、ブロック６０４は、（例えば、１および０のシーケンスとして表される）デジタル形式のシンボルのシーケンスを備える信号を生成しうる。図２および３中に示されているチャネル符号化されたコンテンツの特定の例では、そのようなシンボルのシーケンスは、ＤＭＲＳまたはＳＲＳシンボルのようなチャネル固有シンボルとインターリーブされた、符号化されたコンテンツシンボルを備えうる。ある実施形態にしたがって、ブロック６０８は、ＳＰＳ受信機６１２がブランキングされるべき持続時間および／またはインスタンスを決定すべく、制御信号６１０を生成するために、ブロック６０４において生成されたチャネル符号化されたコンテンツを分析しうる。例えば、ブロック６０４は、アップリンクチャネル中での送信に関して特定のスロットに割り振られた特定のシンボルまたはビットシーケンスを分析するといったように、特定のシンボルパターンを分析しうる。あるインプリメンテーションでは、ブロック６０４は、ＤＭＲＳおよび／またはＳＲＳシンボルを挿入／インターリーブしうる。ブロック６０８は、ＤＭＲＳおよび／またはＳＲＳシンボルのタイミングを検出し、およびＲ／Ｆ回路６１４に接続されたアンテナを通じたＤＭＲＳおよび／またはＳＲＳシンボルの送信のタイミングを予測／決定しうる。制御信号６１０は、ＳＲＳおよび／またはＤＭＲＳシンボルＲ／Ｆ回路６１４の送信の間にＳＰＳ受信機６１２をブランキングするための、図４中に示されているように、ブランキング信号を実現しうる。特定のインプリメンテーションでは、制御信号６１０は、図４中に示されているように、デバイスピンに印加される電圧を備えうる。代替のインプリメンテーションでは、制御信号は、ブランキングされた期間の開始に続いてブランキングされていない期間の開始をシグナリングするためのトグルとしてアサートされうる。別のインプリメンテーションでは、制御信号６１０は、高速バス上でデジタル信号を供給しうる。しかしながら、これらは単にＳＰＳ受信機６１２をブランキングすることを実現するために制御信号６１０がどのようにインプリメントされうるかの例に過ぎず、および特許請求される主題はこの点において限定されないことが理解されるべきである。
【００３８】
[00043]図７Ａおよび７Ｂは、送信されている信号のコンテンツと同期される形で受信機をブラキングするためのプロセスのフロー図である。図７Ａおよび７Ｂにおいて実施されるアクションは、例えば、図８中に示されているモバイルデバイス１１００のようなモバイルデバイス、または図９中に示されているアクセスポイント１８０４のようなアクセスポイントによって実施されうる。しかしながら、これらは単に図７Ａおよび７Ｂ中に示されているアクションを実施するように構成されうる構造の例に過ぎず、および特許請求される主題はこの点において限定されないことが理解されるべきである。ブロック７０２において、アップリンク信号は、ワイヤレス通信リンク中で送信されうる。１つの特定のインプリメンテーションでは、ブロック７０２は、ＦＤＤワイヤレス通信リンク中でアップリンク信号を送信しうる（例えば、ＬＴＥ ＦＤＤアップリンク）。別の特定のインプリメンテーションでは、ブロック７０２は、ワイヤレスローカルエリアネットワーク（ＷＬＡＮ）通信リンクまたはワイヤレスパーソナルエリアネットワーク（ＷＰＡＮ）通信リンク、あるいはそれらの組み合わせ中でアップリンク信号を送信しうる。このコンテキストでは、ここに言及されるように「アップリンク信号」は、ワイヤレス通信サービスへのアクセスを可能にするデバイスにワイヤレス通信媒体中で送信される信号を意味する。例えば、モバイル加入者デバイスは、ＬＴＥネットワーク中の基地局にアップリンク信号中でメッセージを送信しうる。しかしながら、これは単にアップリンク信号の例に過ぎず、および特許請求される主題はこの点において限定されないことが理解されるべきである。このコンテキストでは、ここに言及されるように、「ＦＤＤワイヤレス通信リンク」は、第１のデバイスから第２のデバイスに送信されるメッセージがワイヤレススペクトルの第１の部分中で送信され、および第２のデバイスから第１のデバイスに送信されるメッセージがワイヤレススペクトルの第１の部分と周波数において重複しないワイヤレススペクトルの第２の部分中で送信されるように、第１のデバイスと第２のデバイスとの間でのメッセージの送信を許可する確立されたフォーマットのワイヤレス通信リンクを意味する。１つの実例的なインプリメンテーションでは、ＦＤＤワイヤレス通信リンク中のアップリンク信号は、ダウンリンク信号中で基地局からモバイル加入者デバイスにメッセージを送信するために使用される周波数スペクトルと重複しない周波数スペクトル中でモバイル加入者デバイスから基地局にメッセージを送信する。しかしながら、これは単にＦＤＤワイヤレス通信リンクの例に過ぎず、および特許請求される主題はこの点において限定されないことが理解されるべきである。
【００３９】
[00044]ブロック７０４は、ブロック７０２においてアップリンク中で送信されたコンテンツの一部分と時間同期されたＳＰＳ受信機を選択的にブランキングすることを備える。このコンテキストでは、ここに言及されるように、「ＳＰＳ受信機」は、情報（例えば、コード位相検出、キャリア位相検出、システム時間、等）を取得するためにＳＰＳ送信機によって送信される、受信される信号（例えば、ＳＰＳ衛星１６０によって送信されるＳＰＳ信号１５９）の少なくとも一部分を処理することが可能である受信デバイスを意味する。さらに、このコンテキストでは、ここに言及されるように、「コンテンツ」は、特定の物理的送信媒体または記憶媒体中での、あるいは特定の周波数における送信に関するいずれかの特定のフォーマットとは独立して送信されるか、もしくは記憶されるべき信号の表現を意味する。コンテンツは必ずしもアプリケーションコンテンツに限定されないことが理解されるべきである。例えば、コンテンツは、例えば、（例えば、スロット中での送信に関して一連の１および０として表される）アプリケーションコンテンツシンボルとインターリーブされたＤＭＲＳおよびＳＲＳシンボルを含むチャネル固有シンボルと組み合わせて、符号化されたアプリケーションコンテンツを備えうる。このコンテキストでは、ここに言及されるように、受信機の「ブランキング」は、ある時間の持続時間の間の、受信機デバイスにおける１つまたは複数の信号の受信の一時中断を意味する。一例では、受信機のブランキングは、１つまたは複数の信号の受信がブランキング期間にわたって一時中断されるべき持続時間の間に受信機デバイスへの電気接続を一時中断することを備えうる。特定のインプリメンテーションでは、ＳＰＳ受信機は、ＤＭＲＳシンボルが送信される期間をカバーする７２．０μ秒の間ブランキングされ、およびその後、ＳＰＳ受信機の通常動作に関して後続の４２８．０μ秒にわたってブランキングされないことがありうる。さらにこのコンテキストでは、ここに言及されるように、「選択的にブランキングすること」は、受信された信号の処理を一時中断するために、そのような形で受信デバイスを制御するプロセスを意味する。例えば、受信デバイスは、ほんの数例を提供すると、例えば、受信回路を受信された信号から切り離すこと、少なくとも一部分受信デバイスから電力を取り除くこと、受信された信号を減衰／接地することによって選択的にブランキングされうる。あるインプリメンテーションでは、受信機デバイスは、ブランキング期間の間に受信機デバイスの接続を電気的に切断するために、スイッチの入力端子の電圧信号（例えば、制御信号６１０）の印加に応答してブランキングされうる。別のインプリメンテーションでは、受信機をブランキングすることは、受信機中のデジタル処理回路（例えば、アナログ−デジタル変換回路）に、ブランキング期間にわたって出力信号として０．０Ｖを供給することを強制することを備えうる。しかしながら、これは単に受信機デバイスがどのようにブランキングされうるかの例に過ぎず、および特許請求される主題はこの点において限定されないことが理解されるべきである。
【００４０】
[00045]さらにこのコンテキストでは、ここに言及されるように、「コンテンツの一部分と同期された」受信機のブランキングは、送信されるコンテンツの特徴と同期されている期間および／またはインスタンスの間に受信することがブランキングされることを意味する。図６中に例示されているように、特定の実例的なインプリメンテーションでは、ＳＰＳ受信機６１２は、ブロック６０４において生成されたシンボルコンテンツ中で検出されたＤＭＲＳまたはＳＲＳシンボルのタイミングに少なくとも部分的に基づいて選択的にブランキングされうる。例えば、ＳＰＳ受信機６１２は、ＤＭＲＳまたはＳＲＳ信号がＲ／Ｆ回路６１４に接続されたアンテナを通じて送信されるべき間隔の間に選択的にブランキングされうる。一例では、上述されたように、制御信号６１０は、Ｒ／Ｆ回路６１４を通じて特定のコンテンツ（例えば、ＤＭＲＳまたはＳＲＳシンボルあるいはジャミング効果を与える他のコンテンツ）の送信より前のリードタイム（例えば、２．０μ秒）でＳＰＳ受信機６１２に供給されうるブランキング信号を備えうる。しかしながら、これは単に受信機のブランキングがアップリンク信号中で送信されるコンテンツとどのように同期しうるかの例に過ぎず、および特許請求される主題はこの点において限定されないことが理解されるべきである。
【００４１】
[00046]特定のインプリメンテーションでは、ブロック７０４は、アップリンク信号の特定のチャネルまたは周波数帯域に少なくとも部分的に基づいて選択的にブランキングすることを備えうる。例えば、ブロック７０４は、ＵＬＣＡ ＬＴＥ Ｂ２／Ｂ４のケースについてはアップリンク送信に関してＳＰＳ受信機をブランキングしうるが、ＬＴＥ Ｂ２ 非ＵＬＣＡのケースについてはしないことがありうる。また、ブロック７０４は、ブロック７０２においてアップリンク信号を送信するために送信機によって印加された送信電力に基づいて選択的にブランキングすることを備えうる。さらに、（例えば、ＧＰＳ、ＧＬＯＮＡＳＳ、北斗またはＧａｌｉｌｅｏ信号のいずれかの組み合わせの処理も可能である）マルチバンドＳＰＳ受信機の場合、ブロック７０４は、いくつかのＳＰＳ帯域を選択的にブランキングしうるが、その他はしないことがありうる。
【００４２】
[00047]図７Ｂは、代替の実施形態にしたがったプロセスのフロー図である。ブロック７０６は、シンボルコンテンツを提供すべくワイヤレス通信媒体中での送信に関してアプリケーションコンテンツ信号を符号化することを備える。このコンテキストでは、ここに言及されるように、「アプリケーションコンテンツ信号」は、特定のフォーマットのアプリケーション（例えば、テキスト、オーディオ信号、画像信号、等）をサポートするコンテンツの式または表現を意味する。ここに言及されるように、「シンボルコンテンツ」は、フォーマットにしたがって適正に組み合わされた場合、ワイヤレス送信媒体中で送信されることになるコンテンツの全てまたは一部分を表す、特定のフォーマットの離散符号化式（discrete encoded expressions）を備える。上述された図６の例では、シンボルコンテンツは、チャネル制御シンボルとインターリーブされたアプリケーションコンテンツを表す符号化されたシンボルを含みうる、ブロック６０４によって生成されたシンボルのシーケンスを備えうる。それ故に、この特定のコンテキストでは、シンボルコンテンツは、アプリケーションコンテンツを表す符号化されたシンボルに必ずしも限定されないが、ＤＭＲＳまたはＳＲＳシンボルのようなチャネル制御シンボルもまた含みうることが認識されるべきである。しかしながら、これは単にシンボルコンテンツの例に過ぎず、および特許請求される主題はこの点において限定されないことが理解されるべきである。
【００４３】
[00048]ブロック７０８は、ワイヤレス送信媒体中での送信に関して、ブロック７０６において生成されたシンボルコンテンツをＲ／Ｆ周波数にアップコンバートすることを備えうる。このコンテキストでは、ここに言及されるように、「アップコンバートすること」は、送信媒体中での特定のキャリア周波数での送信に適した特定のフォーマットに信号を変換することを意味する。例えば、Ｒ／Ｆ回路６１４は、ブロック６０６からのベースバンド信号にしたがって特定のキャリア周波数で信号を変調しうる（ここにおいて、ベースバンド信号は、ブロック６０４によって生成されたシンボルコンテンツに少なくとも部分的に基づく）。ブロック７１０はその後、上述されたように、シンボルコンテンツの一部分と同期された受信機を選択的にブランキングする。
【００４４】
[00049]図８中に示されている主題は、例えば、ある実施形態中では、コンピューティングデバイスの機能を備えうる。用語コンピューティングデバイスは、一般には、通信バスによって接続されたメモリと１つまたは複数のプロセッサとに少なくとも言及することにさらに留意されたい。同様に、少なくとも本開示のコンテキストでは、これは、米国特許法第１１２条（ｆ）が用語「コンピューティングデバイス」、「ワイヤレス局」、「ワイヤレストランシーバデバイス」および／または同様の用語の使用によって含意されないことが特に意図されるように、米国特許法第１１２条（ｆ）の意味内の十分な構造に言及することが理解されるが、しかしながら、直ぐには分からないいくつかの理由に関して、前述の理解が成り立たず（cannot stand）、および米国特許法第１１２条（ｆ）が、したがって、用語「コンピューティングデバイス」、「ワイヤレス局」、「ワイヤレストランシーバデバイス」および／または同様の用語の使用によって必ず含意されることが決定される場合、その法定セクション（statutory section）に準じて、１つまたは複数の機能を実施するための対応する構造、材料および／または行為が理解され、および少なくとも図６、７Ａおよび７Ｂと本開示の対応する文章中に記述されていると解釈されることが意図される。
【００４５】
[00050]図８は、ある実施形態にしたがったモバイルデバイスの概略図である。モバイルデバイス１００（図１）は、図８中に示されているモバイルデバイス１１００の１つまたは複数の機能を備えうる。ある特定の実施形態では、モバイルデバイス１１００はまた、ワイヤレス通信ネットワーク上でワイヤレスアンテナ１１２２を介してワイヤレス信号１１２３を送信および受信することが可能であるワイヤレストランシーバ１１２１を備えうる。ワイヤレストランシーバ１１２１は、ワイヤレストランシーババスインターフェース１１２０によってバス１１０１に接続されうる。ワイヤレストランシーババスインターフェース１１２０は、いくつかの実施形態では、ワイヤレストランシーバ１１２１と少なくとも部分的に一体化されうる。いくつかの実施形態は、ほんの数例を挙げると、例えば、ＩＥＥＥ規格８０２．１１のバージョン、ＣＤＭＡ、ＷＣＤＭＡ（登録商標）、ＬＴＥ、ＵＭＴＳ、ＧＳＭ、ＡＭＰＳ、Ｚｉｇｂｅｅ（登録商標）およびＢｌｕｅｔｏｏｔｈのような対応するマルチプルのワイヤレス通信規格にしたがって信号を送信および／または受信することを可能にするために、マルチプルのワイヤレストランシーバ１１２１およびワイヤレスアンテナ１１２２を含みうる。
【００４６】
[00051]モバイルデバイス１１００はまた、ＳＰＳアンテナ１１５８を介してＳＰＳ信号１１５９を受信および捕捉することが可能であるＳＰＳ受信機１１５５を備えうる。ＳＰＳ受信機１１５５はまた、モバイルデバイス１０００のロケーションを推定するための捕捉されたＳＰＳ信号１１５９を全体的または部分的に処理しうる。いくつかの実施形態では、汎用プロセッサ（１つ以上）１１１１、メモリ１１４０、ＤＳＰ（１つ以上）１１１２および／または特殊プロセッサ（図示せず）はまた、ＳＰＳ受信機１１５５と併せて、モバイルデバイス１１００の推定されたロケーションを算出および／または全体的または部分的に、捕捉されたＳＰＳ信号を処理するために利用されうる。測位動作を実施するにあたって使用に関するＳＰＳまたは他の信号の記憶は、メモリ１１４０またはレジスタ（図示せず）中で実施されうる。
【００４７】
[00052]ある実施形態にしたがって、ＳＰＳ受信機１１５５は、ブランキング信号を受信するための端子またはピンを備えうる。例えば、ＳＰＳ受信機１１５５は、ブランキング信号に応答してその時々に受信をブランキングしうる。特定のインプリメンテーションでは、ワイヤレストランシーバ１１２１またはモデムプロセッサ１１６６は、上述されたように、ＦＤＤワイヤレス通信リンクのアップリンク部分上でワイヤレストランシーバ１１２１によって送信されたコンテンツと同期する端子またはピン上のブランキング信号をアサートするために、ＳＰＳ受信機１１５５の端子またはピンにワイヤード信号パス（図示せず）によって接続されうる。例えば、ワイヤレストランシーバ１１２１またはモデムプロセッサ１１６６は、上述されたように、ＳＰＳ受信機１１５５において受信をブランキングするための制御信号を生成するために、モデム６００の１つまたは複数の機能を有しうる。
【００４８】
[00053]図８中にまた示されているように、モバイルデバイス１１００は、バスインターフェース１１１０によってバス１１０１に接続されたデジタルシグナルプロセッサ（１つ以上）（ＤＳＰ（１つ以上））１１１２、バスインターフェース１１１０によってバス１１０１に接続された汎用プロセッサ（１つ以上）１１１１、およびメモリ１１４０を備えうる。バスインターフェース１１１０は、ＤＳＰ（１つ以上）１１１２、汎用プロセッサ（１つ以上）１１１１、およびメモリ１１４０と一体化されうる。様々な実施形態では、機能は、ほんの数例を挙げると、ＲＡＭ、ＲＯＭ、ＦＬＡＳＨ、またはディスクドライブのような、コンピュータ可読記憶媒体上などのメモリ１１４０中に記憶された１つまたは複数の機械可読命令の応答実行において実施されうる。１つまたは複数の命令は、汎用プロセッサ（１つ以上）１１１１、特殊プロセッサ、またはＤＳＰ（１つ以上）１１１２によって実行可能でありうる。メモリ１１４０は、ここに記述される機能を実施するために、プロセッサ（１つ以上）１１１１および／またはＤＳＰ（１つ以上）１１１２によって実行可能であるソフトウェアコード（プログラミングコード、命令、等）を記憶するコンピュータ可読メモリおよび／または非一時的プロセッサ可読メモリを備えうる。特定のインプリメンテーションでは、ワイヤレストランシーバ１１２１は、上述されたように、モバイルデバイス１１００がワイヤレスＳＴＡとして構成されることを可能にするために、バス１１０１を通じて汎用プロセッサ（１つ以上）１１１１および／またはＤＳＰ（１つ以上）１１１２と通信しうる。汎用プロセッサ（１つ以上）１１１１および／またはＤＳＰ（１つ以上）１１１２は、図６、７Ａおよび７Ｂと関連して上述されたプロセスの１つまたは複数の態様を実行するための命令を実行しうる。
【００４９】
[00054]図８中にまた示されているように、ユーザインターフェース１１３５は、ほんの数例を挙げると、例えば、スピーカ、マイクロフォン、ディスプレイデバイス、振動デバイス、キーボード、タッチスクリーンのようないくつかのデバイスのうちのいずれか１つを備えうる。特定のインプリメンテーションでは、ユーザインターフェース１１３５は、ユーザがモバイルデバイス１１００上にホストされた１つまたは複数のアプリケーションと相互作用することを可能にしうる。例えば、ユーザインターフェース１１３５のデバイスは、ユーザからのアクションに応答して、ＤＳＰ（１つ以上）１１１２または汎用／アプリケーションプロセッサ１１１１によってさらに処理されることになるアナログまたはデジタル信号をメモリ１１４０上に記憶しうる。同様に、モバイルデバイス１１００上にホストされたアプリケーションは、ユーザに出力信号を提示するために、メモリ１１４０上にアナログまたはデジタル信号を記憶しうる。別のインプリメンテーションでは、モバイルデバイス１１００はオプションとして、例えば、専用スピーカ、マイクロフォン、デジタル−アナログ回路、アナログ−デジタル回路、増幅器および／または利得制御を備える専用オーディオ入力／出力（Ｉ／Ｏ）デバイス１１７０を含みうる。しかしながら、これは単にオーディオＩ／Ｏがモバイルデバイス中でどのようにインプリメントされうるかの例に過ぎず、および特許請求される主題はこの点において限定されないことが理解されるべきである。別のインプリメンテーションでは、モバイルデバイス１１００は、キーボードまたはタッチスクリーンデバイス上でのタッチまたは圧力に反応するタッチセンサ１１６２を備えうる。
【００５０】
[00055]モバイルデバイス１１００はまた、静止画または動画をキャプチャするための専用カメラデバイス１１６４を備えうる。専用カメラデバイス１１６４は、ほんの数例を挙げると、例えば、撮像センサ（例えば、電荷結合素子またはＣＭＯＳイメージャ）、レンズ、アナログ−デジタル回路、フレームバッファを備えうる。１つのインプリメンテーションでは、キャプチャされた画像を表す信号の追加の処理、調整、符号化または圧縮は、汎用／アプリケーションプロセッサ１１１１あるいはＤＳＰ（１つ以上）１１１２において実施されうる。代替として、専用ビデオプロセッサ１１６８は、キャプチャされた画像を表す信号の調整、符号化、圧縮または操作を実施しうる。加えて、専用ビデオプロセッサ１１６８は、モバイルデバイス１１００上のディスプレイデバイス（図示せず）上での提示に関して、記憶された画像データを復号／解凍しうる。
【００５１】
[00056]モバイルデバイス１１００はまた、例えば、慣性センサおよび環境センサを含みうる、バス１１０１に結合されたセンサ１１６０を備えうる。センサ１１６０の慣性センサは、例えば、（例えば、１つまたは複数のコンパスアプリケーションをサポートするための）１つまたは複数の磁力計、１つまたは複数のジャイロスコープ、または（例えば、３次元でのモバイルデバイス１１００の加速度に集合的に応じる）加速度計を備えうる。モバイルデバイス１１００の環境センサは、ほんの数例を挙げると、例えば、温度センサ、気圧センサ、環境光センサ、カメライメージャ、マイクロフォンを備えうる。センサ１１６０は、メモリ１１４０中に記憶され、および例えば、測位または航法動作を対象とするアプリケーションのような１つまたは複数のアプリケーションをサポートする汎用／アプリケーションプロセッサ１１１１またはＤＰＳ（１つ以上）によって処理されうるアナログまたはデジタル信号を生成しうる。
【００５２】
[00057]特定のインプリメンテーションでは、モバイルデバイス１１００は、ワイヤレストランシーバ１１２１において受信およびダウンコンバートされた信号のベースバンド処理を実施することが可能である専用モデムプロセッサ１１６６を備えうる。同様に、専用モデムプロセッサ１１６６は、ワイヤレストランシーバ１１２１による送信に関してアップコンバートされることになる信号のベースバンド処理を実施しうる。実例的なインプリメンテーションでは、モデムプロセッサ１１６６は、上述されたモデム６００の１つまたは複数の機能を有しうる。代替のインプリメンテーションでは、専用モデムプロセッサを有する代わりに、ベースバンド処理は、汎用プロセッサまたはＤＳＰ（例えば、汎用／アプリケーションプロセッサ１１１１またはＤＳＰ（１つ以上）１１１２）によって実施されうる。しかしながら、これらは単にベースバンド処理を実施しうる構造の例に過ぎず、および特許請求される主題はこの点において限定されないことが理解されるべきである。
【００５３】
[00058]一実施形態では、上述されたように、通信デバイスにおける方法は、シンボルコンテンツを提供すべくワイヤレス送信媒体中での送信に関してアプリケーションコンテンツ信号を符号化することと、シンボルコンテンツは、アプリケーションコンテンツ信号の一部分を表すための第１のシンボルを備え、ワイヤレス送信媒体中での送信に関してシンボルコンテンツを無線周波数信号にアップコンバートすることと、およびシンボルコンテンツの少なくとも一部分と同期された受信機を選択的にブランキングすることとを備える。特定のインプリメンテーションでは、シンボルコンテンツはさらに、ワイヤレス送信媒体中の通信チャネルを制御するために第１のシンボルとインターリーブされた第２のシンボルを備える。別の特定のインプリメンテーションでは、受信機を選択的にブランキングすることはさらに、第２のシンボルの少なくとも一部分と同期されたブランキング信号を生成することを備える。別の特定のインプリメンテーションでは、第２のシンボルは、ＤＭＲＳまたはＳＲＳシンボルを備える。別の特定のインプリメンテーションでは、シンボルコンテンツは、ＦＤＤワイヤレス通信リンク中での送信に関してアップコンバートされる。別の特定のインプリメンテーションでは、シンボルコンテンツは、ＷＬＡＮ通信リンクまたはＷＰＡＮ通信リンク、あるいはそれらの組み合わせ中での送信に関してアップコンバートされる。
【００５４】
[00059]別の実施形態では、上述されたように、通信デバイスは、無線周波数信号を受信するための受信機と、シンボルコンテンツを提供すべくワイヤレス送信媒体中での送信に関してアプリケーションコンテンツ信号を符号化することと、シンボルコンテンツは、アプリケーションコンテンツ信号の一部分を表すための第１のシンボルを備え、およびシンボルコンテンツの少なくとも一部分と同期された受信機を選択的にブランキングするための信号を生成することとを行うためのモデムデバイスとを備える。１つの特定のインプリメンテーションでは、通信デバイスはさらに、ワイヤレス送信媒体中での送信に関してシンボルコンテンツをアップコンバートするための無線周波数回路を備える。別の特定のインプリメンテーションでは、シンボルコンテンツはさらに、ワイヤレス送信媒体中の通信チャネルを制御するために第１のシンボルとインターリーブされた第２のシンボルを備える。別の特定のインプリメンテーションでは、受信機を選択的にブランキングすることはさらに、第２のシンボルの少なくとも一部分と同期されたブランキング信号を生成することを備える。別の特定のインプリメンテーションでは、第２のシンボルは、ＤＭＲＳまたはＳＲＳシンボルを備える。別の特定のインプリメンテーションでは、シンボルコンテンツは、ＦＤＤワイヤレス通信リンク中での送信に関してアップコンバートされる。別の特定のインプリメンテーションでは、シンボルコンテンツは、ＷＬＡＮ通信リンクまたはＷＰＡＮ通信リンク、あるいはそれらの組み合わせ中での送信に関してアップコンバートされる。
【００５５】
[00060]別の実施形態では、上述されたように、記憶媒体は、シンボルコンテンツを提供すべくワイヤレス送信媒体中での送信に関してアプリケーションコンテンツ信号を符号化することと、シンボルコンテンツは、アプリケーションコンテンツ信号の一部分を表すための第１のシンボルを備え、およびシンボルコンテンツの少なくとも一部分と同期された受信機を選択的にブランキングするための信号を生成することとを行うように通信デバイスのプロセッサによって実行可能である記憶されたコンピュータ可読命令を備える。１つの特定のインプリメンテーションでは、シンボルコンテンツはさらに、ワイヤレス送信媒体中の通信チャネルを制御するために第１のシンボルとインターリーブされた第２のシンボルを備える。別の特定のインプリメンテーションでは、受信機を選択的にブランキングすることはさらに、第２のシンボルの少なくとも一部分と同期されたブランキング信号を生成することを備える。別の特定のインプリメンテーションでは、第２のシンボルは、ＤＭＲＳまたはＳＲＳシンボルを備える。別の特定のインプリメンテーションでは、シンボルコンテンツは、ＦＤＤワイヤレス通信リンク中での送信に関してアップコンバートされる。別の特定のインプリメンテーションでは、シンボルコンテンツは、ＷＬＡＮ通信リンクまたはＷＰＡＮ通信リンク、あるいはそれらの組み合わせ中での送信に関してアップコンバートされる。
【００５６】
[00061]別の実施形態では、上述されたように、通信デバイスは、シンボルコンテンツを提供すべくワイヤレス送信媒体中での送信に関してアプリケーションコンテンツ信号を符号化するための手段と、シンボルコンテンツは、アプリケーションコンテンツ信号の一部分を表すための第１のシンボルを備え、ワイヤレス送信媒体中での送信に関してシンボルコンテンツを無線周波数信号にアップコンバートするための手段と、およびシンボルコンテンツの少なくとも一部分と同期された受信機を選択的にブランキングするための手段とを備える。１つの特定のインプリメンテーションでは、シンボルコンテンツはさらに、ワイヤレス送信媒体中の通信チャネルを制御するために第１のシンボルとインターリーブされた第２のシンボルを備える。別の特定のインプリメンテーションでは、受信機を選択的にブランキングすることはさらに、第２のシンボルの少なくとも一部分と同期されたブランキング信号を生成することを備える。別の特定のインプリメンテーションでは、第２のシンボルは、ＤＭＲＳまたはＳＲＳシンボルを備える。別の特定のインプリメンテーションでは、シンボルコンテンツは、ＦＤＤワイヤレス通信リンク中での送信に関してアップコンバートされる。別の特定のインプリメンテーションでは、シンボルコンテンツは、ＷＬＡＮ通信リンクまたはＷＰＡＮ通信リンク、あるいはそれらの組み合わせ中での送信に関してアップコンバートされる。
【００５７】
[00062]ここに使用されるように、用語「モバイルデバイス」は、変化する位置ロケーションをその時々に有しうるデバイスに言及する。位置ロケーションにおける変化は、ほんの数例として、方向、距離、方位、等に対する変化を備えうる。特定の例では、モバイルデバイスは、セルラ電話、ワイヤレス通信デバイス、ユーザ機器、ラップトップコンピュータ、他のパーソナル通信システム（ＰＣＳ）デバイス、携帯情報端末（ＰＤＡ）、パーソナルオーディオデバイス（ＰＡＤ）、ポータブル航法デバイス、および／または他のポータブル通信デバイスを備えうる。モバイルデバイスはまた、機械可読命令によって制御される機能を実施するように適合されたコンピューティングプラットフォームおよび／またはプロセッサを備えうる。
【００５８】
[00063]ここに記述された方法は、特定の例にしたがったアプリケーションに依存して様々な手段によってインプリメントされうる。例えば、そのような方法は、ハードウェア、ファームウェア、ソフトウェア、またはそれらの組み合わせにおいてインプリメントされうる。ハードウェアインプリメンテーションでは、例えば、処理ユニットは、１つまたは複数の特定用途向け集積回路（「ＡＳＩＣ」）、デジタルシグナルプロセッサ（「ＤＳＰ」）、デジタル信号処理デバイス（「ＤＳＰＤ」）、プログラマブルロジックデバイス（「ＰＬＤ」）、フィールドプログラマブルゲートアレイ（「ＦＰＧＡ」）、プロセッサ、コントローラ、マイクロコントローラ、マイクロプロセッサ、電子デバイス、ここに記述された機能を実施するように設計された他のデバイスユニット、またはそれらの組み合わせ内においてインプリメントされうる。
【００５９】
[00064]アルゴリズム記述および／または記号表現は、信号処理および／または関連する技術における当業者によって、彼らの研究の内容（the substance of their work）を他の当業者に伝達するために使用される技法の例である。アルゴリズムはここで、および概して、所望される結果につながる首尾一貫したシーケンス（self-consistent sequence）の動作および／または同様の信号処理であると見なされる。このコンテキストでは、動作および／または処理は、物理量の物理的操作を伴う。典型的に、ただ必ずしもではないが、そのような量は、信号測定値、テキスト、画像、ビデオ、オーディオ、等のような様々な形態のコンテンツを表す電子信号および／または状態として記憶されるか、転送されるか、組み合わされるか、比較されるか、処理されるか、またはそうでない場合は操作されることが可能である電気および／または磁気信号および／または状態の形態を取りうる。主に共通使用の理由により、そのような物理的信号および／または物理的状態をビット、バイト、値、要素、シンボル、文字、用語、番号、数字、式、メッセージ、フィールド、識別子フレーム、測定値、コンテンツおよび／または同様のものとして言及することは時に便利であることが証明されている。しかしながら、これらおよび／または同様の用語の全ては、適切な物理量と関連付けられるべきであり、および単に便利なラベルに過ぎないことが理解されるべきである。そうでないと具体的に記載されない限り、先行する論述から明らかであるように、この明細書全体を通じて、「処理する」、「計算する」、「算出する」、「決定する」、「確立する」、「取得する」、「識別する」、「選択する」、「生成する」、および／または同様のもののような用語を利用する論述は、専用コンピュータおよび／または同様の専用コンピューティングおよび／またはネットワークデバイスのような特定の装置のプロセスおよび／またはアクションに言及しうることが認識される。この明細書のコンテキストでは、したがって、専用コンピュータおよび／または同様の専用コンピューティングおよび／またはネットワークデバイスは、専用コンピュータおよび／または同様の専用コンピューティングおよび／またはネットワークデバイスのメモリ、レジスタ、および／また
は他の記憶デバイス、送信デバイス、および／またはディスプレイデバイス内の、物理的電子および／または磁気量として典型的に表される信号および／または状態を処理、操作および／または変換することが可能である。この特定の特許出願のコンテキストでは、言及されたように、用語「特定の装置」は、それがプログラムソフトウェアからの命令に準じて特定の機能を実施するようにプログラムされた時点で、汎用コンピュータのような汎用コンピューティングおよび／またはネットワークデバイスを含みうる。
【００６０】
[00065]いくつかの状況では、バイナリ１からバイナリ０への状態における変化またはその逆のようなメモリデバイスの動作は、例えば、物理的変換のような変換を備えうる。特定のタイプのメモリデバイスでは、そのような物理的変換は、異なる状態または物への物品（an article）の物理的変換を備えうる。例えば、それらに限定されないが、いくつかのタイプのメモリデバイスの場合、状態における変化は、電荷の蓄積および／または貯蔵あるいは貯蔵された電荷の解放を伴いうる。同様に、他のメモリデバイスでは、状態の変化は、磁気方位における変換のような物理的変化、および／または結晶性から非結晶性への、あるいはその逆のような分子構造における物理的変化および／または変換を備えうる。さらに他のメモリデバイスでは、物理的状態における変化は、重ね合わせ、もつれ、および／または同様のもののような量子力学現象を伴いえ、それは、例えば、量子ビット（キュービット）を伴いうる。前述は、メモリデバイス中でのバイナリ１からバイナリ０への状態における変化またはその逆が物理的変換のような変換を備えうる全ての例の網羅的なリストであることを意図されていない。むしろ、前述は、例示的な例として意図される。
【００６１】
[00066]ここに記述されたワイヤレス通信技法は、ワイヤレスワイドエリアネットワーク（「ＷＷＡＮ」）、ワイヤレスローカルエリアネットワーク（「ＷＬＡＮ」）、ワイヤレスパーソナルエリアネットワーク（ＷＰＡＮ）、等のような様々なワイヤレス通信ネットワークと関連しうる。このコンテキストでは、「ワイヤレス通信ネットワーク」は、１つまたは複数のワイヤレス通信リンクを通じて互いと通信することが可能であるマルチプルのデバイスまたはノードを備える。図１中に示されているように、例えば、ワイヤレス通信ネットワークは、モバイルデバイス１００ａ、１００ｂ、１１５ａおよび１１５ｂから２つ以上のデバイスを備えうる。用語「ネットワーク」および「システム」は、ここでは交換可能に使用されうる。ＷＷＡＮは、符号分割多元接続（「ＣＤＭＡ」）ネットワーク、時分割多元接続（「ＴＤＭＡ」）ネットワーク、周波数分割多元接続（「ＦＤＭＡ」）ネットワーク、直交周波数分割多元接続（「ＯＦＤＭＡ」）ネットワーク、シングルキャリア周波数分割多元接続（「ＳＣ−ＦＤＭＡ」）ネットワーク、または上記ネットワークのいずれかの組み合せ、等でありうる。ＣＤＭＡネットワークは、ごくわずかの無線技術を挙げると、ｃｄｍａ２０００、ワイドバンドＣＤＭＡ（「Ｗ−ＣＤＭＡ（登録商標）」）のような１つまたは複数の無線アクセス技術（「ＲＡＴ」）をインプリメントしうる。ここで、ｃｄｍａ２０００は、ＩＳ−９５、ＩＳ−２０００、およびＩＳ−８５６規格にしたがってインプリメントされた技術を含みうる。ＴＤＭＡネットワークは、モバイル通信に関するグローバルシステム（「ＧＳＭ」）、デジタルアドバンスドモバイル電話システム（「Ｄ−ＡＭＰＳ」）、またはいくつかの他のＲＡＴをインプリメントしうる。ＧＳＭおよびＷ−ＣＤＭＡは、「第３世代パートナーシッププロジェクト」（「３ＧＰＰ」）という名称の団体からの文書中に記述されている。Ｃｄｍａ２０００は、「第３世代パートナーシッププロジェクト２」（「３ＧＰＰ２」）という名称の団体からの文書中に記述されている。３ＧＰＰおよび３ＧＰＰ２の文書は、公的に入手可能である。４Ｇロングタームエボリューション（「ＬＴＥ」）通信ネットワークはまた、ある態様では、特許請求される主題にしたがってインプリメントされうる。例えば、ＷＬＡＮは、ＩＥＥＥ８０２．１１ｘネットワークを備え、およびＷＰＡＮは、Ｂｌｕｅｔｏｏｔｈネットワーク、ＩＥＥＥ８０２．１５ｘを備えうる。ここに記述されたワイヤレス通信インプリメンテーションはまた、ＷＷＡＮ、ＷＬＡＮまたはＷＰＡＮのいずれかの組み合わせと関連して使用されうる。
【００６２】
[00067]別の態様では、前述されたように、ワイヤレス送信機またはアクセスポイントは、フェムトセルを備えうるもので、セルラ電話サービスをビジネスまたは自宅に拡張するために利用される。そのようなインプリメンテーションでは、１つまたは複数のモバイルデバイスは、例えば、符号分割多元接続（「ＣＤＭＡ」）セルラ通信プロトコルを介してフェムトセルと通信し、およびフェムトセルは、インターネットのような別のブロードバンドネットワークを経由してより大きいセルラ電気通信ネットワークへのモバイルデバイスアクセスを提供しうる。
【００６３】
[00068]ここに記述された技法は、ＧＮＳＳの組み合わせおよび／またはいくつかのＧＮＳＳのうちのいずれか１つを含むＳＰＳを用いて使用されうる。さらに、そのような技法は、「シュードライト（pseudolites）」として機能する地上送信機、またはＳＶとそのような地上送信機との組み合わせを利用する測位システムを用いて使用されうる。地上送信機は、例えば、ＰＮコードまたは（例えば、ＧＰＳまたはＣＤＭＡセルラ信号と同様の）他のレンジングコードをブロードキャストする地上ベースの送信機を含みうる。そのような送信機は、リモート受信機による識別を許可するために、一意のＰＮコードを割り当てられうる。地上送信機は、例えば、トンネル、鉱山、ビルディング、都市の谷間または他の囲まれたエリア中のような、軌道を周回するＳＶからのＳＰＳ信号が利用できないことがありうる状況においてＳＰＳを増強するのに有用でありうる。シュードライトの別のインプリメンテーションは、無線ビーコンとして知られている。用語「ＳＶ」は、ここに使用されるように、シュードライト、シュードライトの同等物、およびことによると他のものとして機能する地上送信機を含むことを意図される。用語「ＳＰＳ信号」および／または「ＳＶ信号」は、ここに使用されるように、シュードライトまたはシュードライトの同等物として機能する地上送信機を含む地上送信機からのＳＰＳのような信号を含むことを意図される。
【００６４】
[00069]同様に、このコンテキストでは、用語「結合された」、「接続された」および／または同様の用語は、包括的に使用される。これらの用語は、類義語として意図されないことが理解されるべきである。むしろ、「接続された」は、２つ以上のコンポーネントが、例えば、電気的を含む直接の物理的な接触状態にあることを示すように包括的に使用される一方で、「結合された」は、２つ以上のコンポーネントが潜在的に、電気的を含む直接の物理的な接触状態にあることを意味するように包括的に使用されるが、しかしながら、「結合された」はまた、２つ以上のコンポーネントが必ずしも直接の接触状態にないものの、それにもかかわらず協働および／または相互作用することが可能であることもまた意味するように包括的に使用される。用語結合されたはまた、例えば、適切なコンテキストにおいて、間接的に接続されたことを意味するように包括的に理解される。
【００６５】
[00070]用語「および」、「または」、「および／または」および／または同様の用語は、ここに使用されるように、そのような用語が使用される特定のコンテキストに少なくとも部分的に依存することもまた予期される多様な意味を含む。典型的に、「または」がＡ、Ｂ、またはＣのようなリストを関連付けるために使用される場合、包括的な意味でここに使用されるならＡ、Ｂ、およびＣを、ならびに排他的な意味でここに使用されるならＡ、Ｂ、またはＣを意味することを意図される。加えて、用語「１つまたは複数」および／または同様の用語は、いずれかの特徴、構造、および／または特性を単数形で記述するために使用される、および／または複数の特徴、構造および／または特性および／またはそれらのいくつかの他の組み合わせを記述するためにも使用されうる。同様に、用語「に基づく」および／または同様の用語は、ファクタの排他的なセットを伝達することを必ずしも意図するものではないが、必ずしも明確に記述されていない追加のファクタの存在を可能にすることが理解される。当然ながら、前述の全てに関して、使用および／または記述の特定のコンテキストは、引き出される推論に関する役に立つ指針を提供する。以下の記述は単に１つまたは複数の例示的な例を提供するに過ぎず、および特許請求される主題はこれらの１つまたは複数の例に限定されないことに留意されたいが、しかしながら、繰り返すが、使用および／または記述の特定のコンテキストは、引き出される推論に関する役に立つ指針を提供する。
【００６６】
[00071]このコンテキストでは、用語ネットワークデバイスは、ネットワークを介しておよび／またはその一部として通信することが可能であるいずれかのデバイスに言及し、およびコンピューティングデバイスを備えうる。ネットワークデバイスは、例えば、ワイヤードおよび／またはワイヤレスネットワークを介して信号（例えば、信号パケットおよび／またはフレーム）を送るおよび／または受信することが可能でありうるが、それらはまた、算術および／または論理演算を実施すること、物理メモリ状態としてメモリ中などで信号を処理および／または記憶することが可能でありうる、および／または、例えば、様々な実施形態中でサーバとして動作しうる。サーバとして動作することが可能である、またはそうでないネットワークデバイスは、例として、専用ラックマウントサーバ、デスクトップコンピュータ、ラップトップコンピュータ、セットトップボックス、タブレット、ネットブック、スマートフォン、ウェアラブルデバイス、前述のデバイスの２つ以上の特徴を組み合わせる集積デバイス、等、またはそれらのいずれかの組み合わせを含みうる。例えば、信号パケットおよび／またはフレームは、例えば、ワイヤレスネットワークを介して結合されたワイヤレスデバイス間を含む、サーバとクライアントデバイスおよび／または他のタイプのネットワークデバイスとの間などにおいて交換されうる。用語サーバ、サーバデバイス、サーバコンピューティングデバイス、サーバコンピューティングプラットフォームおよび／または同様の用語は、交換可能に使用されることに留意されたい。同様に、用語クライアント、クライアントデバイス、クライアントコンピューティングデバイス、クライアントコンピューティングプラットフォームおよび／または同様の用語もまた、交換可能に使用される。いくつかの事例では、記述を容易にするために、これらの用語は、例えば、「クライアントデバイス」または「サーバデバイス」に言及することによって単数形で使用されうるが、その記述は、適宜、１つまたは複数のクライアントデバイスおよび／または１つまたは複数のサーバデバイスを包含することを意図される。同様の路線に沿って（Along similar lines）、「データベース」への言及は、適宜、１つまたは複数のデータベースおよび／またはそれらの一部分を意味することが理解される。
【００６７】
[00072]記述を容易にするために、（ネットワーキングデバイスとも言及される）ネットワークデバイスは、コンピューティングデバイスの観点から具現化および／または記述されうることが理解されるべきである。しかしながら、この記述は決して、特許請求される主題がコンピューティングデバイスおよび／またはネットワークデバイスのような一実施形態に限定されると解釈されるべきではなく、および代わりに、例えば、１つまたは複数の例示的な例を含む多様なデバイスまたはそれらの組み合わせとして具現化されうることがさらに理解されるべきである。１つのインプリメンテーション、あるインプリメンテーション、一実施形態、ある実施形態、および／または同様のものに対するこの明細書全体を通じた言及は、特定のインプリメンテーションおよび／または実施形態に関連して記述された特定の特徴、構造、および／または特性が特許請求される主題の少なくとも１つのインプリメンテーションおよび／または実施形態中に含まれることを意味する。このことから、例えば、この明細書全体を通じた様々な場所におけるそのようなフレーズの出現は、同じインプリメンテーションまたは記述されたいずれか１つの特定のインプリメンテーションに言及することを必ずしも意図されていない。さらに、記述された特定の特徴、構造、および／または特性は、１つまたは複数のインプリメンテーションにおいて様々な方法で組み合わされることが可能であり、およびしたがって、例えば、意図される特許請求の範囲内にあることが理解されるべきである。一般には、当然ながら、これらおよび他の問題は、コンテキストによって異なる。したがって、使用および／または記述の特定のコンテキストは、引き出される推論に関する役に立つ指針を提供する。実例的な特徴であると現在考えられているものが例示および記述されてきたが、特許請求される主題から逸脱することなしに、様々な他の修正がなされ、および同等物が代用されうることが当業者によって理解されるであろう。加えて、ここに記述された中心的な概念から逸脱することなしに、特許請求される主題の教示に特定の状況を適合させるために、多くの修正はなされうる。したがって、特許請求される主題は、開示された特定の例に限定されないが、そのような特許請求される主題はまた、添付された特許請求の範囲内に含まれる全ての態様およびそれらの同等物を含みうることが意図される。
【図１】
2019500605.tif 000003
【図２】
2019500605.tif 000004
【図３】
2019500605.tif 000005
【図４】
2019500605.tif 000006
【図５】
2019500605.tif 000007
【図６】
2019500605.tif 000008
【図７Ａ】
2019500605.tif 000009
【図７Ｂ】
2019500605.tif 000010
【図８】
2019500605.tif 000011
【国際調査報告】
2019500605.tif 000012
2019500605.tif 000013
2019500605.tif 000014